(57)【要約】【課題】広告の成果を反映した広告料金の算出を効率的に行う広告業システムを提供する。【解決手段】広告代理業者サーバーにおいて、広告主情報登録ステップと、広告商品情報登録ステップと、広告媒体業者情報登録ステップと、広告商品情報検索ステップと、バーコード発行ステップと、広告媒体業者端末において、バーコード広告作成ステップと、広告主端末において、バーコード広告情報読取ステップと、広告利用実績情報通知ステップと、利用実績記憶ステップと、広告代理業者サーバにおいて、広告料算出ステップから構成され、広告体業者はその業者に対応したバーコードの発行を受け、そのバーコード情報に基づいて広告料金を算出するよう動作する。【選択図】        図１
2004334469.tif 000002
【特許請求の範囲】
【請求項１】
広告を依頼する広告主の端末である広告主端末と、広告代理業務を行う業者の端末である広告代理業者サーバと、広告媒体業務を行う業者の端末である広告媒体業者端末とがコンピュータネットワークで接続された広告業システムであり、
前記広告代理業者サーバにおいて、
前記広告主端末から広告主に関する所定の項目から成る情報である広告主情報の入力を受け、広告主情報記憶手段に記憶する広告主情報登録ステップと、
前記広告主端末から広告商品に関する所定の項目から成る情報である広告商品情報の入力を受け、広告商品情報記憶手段に記憶する広告商品情報登録ステップと、
前記広告媒体業者端末から広告媒体業者に関する所定の項目から成る情報である広告媒体業者情報の入力を受け、広告媒体業者情報記憶手段に記憶する広告媒体業者情報登録ステップと、
前記広告媒体業者端末から広告商品情報の一つ或いは複数の項目の入力を受け、それに基づき前記広告商品情報記憶手段を検索する広告商品情報検索ステップと、
前記広告媒体業者端末から広告を希望する前記広告商品情報の一つ或いは複数を選択する入力を受け、少なくとも広告を希望した前記広告媒体業者情報の一つ或いは複数の項目情報を含むバーコード広告情報に基づくバーコードを作成し、広告を希望した前記広告媒体業者端末に配布するバーコード発行ステップと、
前記広告媒体業者端末において、前記バーコード発行ステップによるバーコードの発行を受けて、発行されたバーコードを広告媒体に複製するバーコード広告作成ステップと、
前記広告主端末において、
前記バーコード広告作成ステップにより広告媒体に複製されたバーコードから前記バーコード広告情報を読み取るバーコード広告情報読取ステップと、
前記バーコード広告読取ステップにより読み取られた前記バーコード広告情報に基づく広告利用実績情報を前記広告代理業者サーバへ通知する広告利用実績情報通知ステップと、
前記広告代理業者サーバにおいて、前記広告利用実績情報通知ステップによる広告利用実績情報の通知を受けて、広告利用実績記憶手段に記憶する利用実績記憶ステップと、
前記広告利用実績記憶手段からの前記広告利用実績情報と、前記広告商品情報記憶手段からの前記広告商品情報と、前記広告主情報記憶手段からの前記広告主情報と、前記広告媒体業者記憶手段からの前記広告媒体業者情報とに基づき広告の利用実績に応じた広告料の算出を行う広告料算出ステップ
から構成されることを特徴とする広告業システム。
【請求項２】
特許請求の範囲第１項記載の広告業システムにおいて、
前記広告主端末は、顧客の端末である顧客端末とコンピュータネットワークで接続され、コンピュータネットワークを介した商品の販売、サービスの提供を行い、
前記バーコード広告情報には、前記顧客端末から前記広告主端末に接続するための接続情報を含み、
前記バーコード広告情報読取ステップでは、前記顧客端末が前記バーコード広告情報を読み取り、読み取った前記バーコード広告情報の接続情報に基づき前記広告主端末に接続し、加えて前記バーコード広告情報の一部或いは全ての情報を通知し、
前記広告利用実績通知ステップでは、前記広告主端末は、通知された前記バーコード広告情報に基づく前記広告利用実績を前記広告代理業者サーバへ通知することを特徴とする広告業システム。
【請求項３】
特許請求の範囲第１項記載の広告業システムにおいて、
前記広告主情報登録ステップ、前記広告商品情報登録ステップ、前記広告媒体業者情報登録ステップ、前記広告商品情報検索ステップの各ステップでは、前記広告代理業者サーバが、それぞれ前記広告主情報、前記広告商品情報、前記広告媒体業者情報の各項目に基づく入力画面情報を作成、各入力側端末へ送信し、当該各入力端末はそれを表示し、入力を受け、その入力値を当該広告代理業務サーバに通知する
ことを特徴とする広告業システム。
【請求項４】
特許請求の範囲第１項記載の広告業システムにおいて、
前記広告商品情報登録ステップでは、前記広告主情報の一部或いは複数の入力を受け、入力された情報が前記広告主情報記憶手段に含まれる場合に登録処理を継続する
ことを特徴とする広告業システム。
【請求項５】
特許請求の範囲第１項記載の広告業システムにおいて、
前記広告商品情報検索ステップでは、前記広告媒体業者情報の一部或いは複数の入力を受け、入力された情報が前記広告媒体業者記憶手段に含まれる場合に検索処理を継続する
ことを特徴とする広告業システム。
【請求項６】
特許請求の範囲第１項記載の広告業システムにおいて、
前記広告主情報は、少なくとも広告主を識別する広告主識別情報を含み、
前記広告商品情報は、少なくとも広告商品を識別する広告商品識別情報、広告料を算出するための広告料情報、前記広告主情報を含み、
前記広告媒体業者情報は、少なくとも広告媒体業者を識別する広告媒体業者識別情報を含み、
前記バーコード広告情報及び前記広告料実績情報は、少なくとも前記広告商品識別情報、前記広告媒体業者識別情報を含み、
前記広告料算出ステップでは、前記広告料実績情報内の前記広告商品識別情報に基づき前記広告商品情報記憶手段から前記広告料情報、前記広告主識別情報を読出し、
読み出した前記広告料情報を基に広告料を算出し、
読み出した前記広告主識別情報に対応する広告主への支払請求情報を更新すると共に前記バーコード広告情報情報内の前記広告媒体業者識別情報に対応する広告媒体業者への支払情報を更新する
ことを特徴とする広告業システム。
【請求項７】
特許請求の範囲第１項記載の広告業システムにおいて、
前記広告商品情報及び前記バーコード広告情報は、少なくともその広告を利用したことの特典である割引情報を加え、
前記広告主端末は、前記バーコード広告情報読取ステップにおいて、前記割引情報に基づき広告商品に関する料金の計算を行う
ことを特徴とする広告業システム。
【請求項８】
特許請求の範囲第１項記載の広告業システムにおいて、
前記バーコード発行ステップにおいて、広告媒体業者端末から、広告媒体業者からの広告を利用したことの特典である広告媒体業者割引情報の入力を受け、前記バーコード広告情報に当該広告媒体業者割引情報を加え、
前記広告主端末は、前記バーコード広告情報読取ステップにおいて、前記広告媒体業者割引情報に基づき広告商品に関する料金の計算を行い、
前記広告利用実績情報通知ステップでは、前記広告利用実績情報に当該広告媒体業者割引情報を加え、
前記広告料算出ステップでは、当該広告媒体業者割引情報に基づき広告料の減額を行う
ことを特徴とする広告業システム。
【発明の詳細な説明】
【０００１】
【発明の属する技術分野】
本発明は、広告を依頼する広告主の端末である広告主端末と、広告代理業務を行う業者の端末である広告代理業者サーバと、広告媒体業務を行う業者の端末である広告媒体業者端末とがコンピュータネットワークで接続された広告業システムに係り、特にバーコードを用いて広告料の算出を行う広告業システムに関するものである。
【０００２】
【従来の技術】
従来、広告業システムでは、広告主が広告代理業者に広告商品と広告内容に関する依頼を行い、それに基づいて広告代理業者は広告を作成し、広告媒体業者に広告を依頼し、それら依頼内容に応じて広告料の算出を行っていた（例えば、特許文献１参照。）。
【０００３】
【特許文献１】
「楽天サービス総合カタログ２００２年１０月〜１２月」、楽天株式会社、３１頁。
【０００４】
【発明が解決しようとする課題】
しかしながら、従来システムでは、広告の依頼に応じて課金されるため、広告主は広告の成果が低くても成果が高い場合も想定したある程度高額な広告料金を支払わなければならず、また、広告媒体業者は広告の成果が高くても成果が低い場合も想定したある程度低額な広告料金を得ることしかできなかった。
【０００５】
そこで本発明にかかる目的は、広告の成果を反映した広告料金の算出を効率的行う広告業システムを提供することにある。
【０００６】
【課題を解決するための手段】
上記目的を達成するために、本出願に係る広告業システムは、広告を依頼する広告主の端末である広告主端末と、広告代理業務を行う業者の端末である広告代理業者サーバと、広告媒体業務を行う業者の端末である広告媒体業者端末とがコンピュータネットワークで接続され、前記広告代理業者サーバにおいて、前記広告主端末から広告主に関する所定の項目から成る情報である広告主情報の入力を受け、広告主情報記憶手段に記憶する広告主情報登録ステップと、前記広告主端末から広告商品に関する所定の項目から成る情報である広告商品情報の入力を受け、広告商品情報記憶手段に記憶する広告商品情報登録ステップと、前記広告媒体業者端末から広告媒体業者に関する所定の項目から成る情報である広告媒体業者情報の入力を受け、広告媒体業者情報記憶手段に記憶する広告媒体業者情報登録ステップと、前記広告媒体業者端末から広告商品情報の一つ或いは複数の項目の入力を受け、それに基づき前記広告商品情報記憶手段を検索する広告商品情報検索ステップと、前記広告媒体業者端末から広告を希望する前記広告商品情報の一つ或いは複数を選択する入力を受け、少なくとも広告を希望した前記広告媒体業者情報の一つ或いは複数の項目情報を含むバーコード広告情報に基づくバーコードを作成し、広告を希望した前記広告媒体業者端末に配布するバーコード発行ステップと、前記広告媒体業者端末において、前記バーコード発行ステップによるバーコードの発行を受けて、発行されたバーコードを広告媒体に複製するバーコード広告作成ステップと、前記広告主端末において、前記バーコード広告作成ステップにより広告媒体に複製されたバーコードから前記バーコード広告情報を読み取るバーコード広告情報読取ステップと、前記バーコード広告読取ステップにより読み取られた前記バーコード広告情報に基づく広告利用実績情報を前記広告代理業者サーバへ通知する広告利用実績情報通知ステップと、前記広告代理業者サーバにおいて、前記広告利用実績情報通知ステップによる広告利用実績情報の通知を受けて、広告利用実績記憶手段に記憶する利用実績記憶ステップと、前記広告利用実績記憶手段からの前記広告利用実績情報と、前記広告商品情報記憶手段からの前記広告商品情報と、前記広告主情報記憶手段からの前記広告主情報と、前記広告媒体業者記憶手段からの前記広告媒体業者情報とに基づき広告の利用実績に応じた広告料の算出を行う広告料算出ステップから構成され、広告媒体業者はその業者に対応したバーコードの発行を受け、そのバーコード情報に基づいて広告料金を算出するよう動作する。
【０００７】
【発明の実施の形態】
（実施例１）
以下、本発明第１の実施例であるバーコード広告システムについて、図１〜図９を用いて説明を行う。
【０００８】
図１は本実施例におけるバーコード広告システムの構成図である。
【０００９】
図１において、１００はインターネット、１１０は広告の代理業務を行う広告代理業者であり、サーバコンピュータ（以下サーバ）１１１と、ハードディスクドライブ等の記憶手段に記憶された広告システムに関する各種情報である広告主情報データベース（以下、ＤＢ）１１２、広告媒体業者情報ＤＢ１１３、広告商品情報ＤＢ１１４、利用実績情報ＤＢ１１５、支払請求情報ＤＢ１１６、支払情報ＤＢ１１７を備える。１２０は広告商品の折込広告を印刷する折込広告業者であり、パーソナルコンピュータ（以下ＰＣ）１２１、印刷機１２２を備える。１３０は商品の販売を行う小売店であり、バーコードリーダー１３３、レジ１３２、ＰＣ１３１を備える。広告代理業者サーバ１１１、折込広告業者ＰＣ１２１、小売店ＰＣ１３１はそれぞれ、常時接続回線、ダイヤルアップ回線等でインターネット１００に接続され、相互通信が可能である。
【００１０】
図２はバーコードに関する各種情報項目の構成図である。
【００１１】
２００は広告主に関する情報である広告主情報であり、広告主に一意に割り振られる広告主ＩＤ２０１、広告主の名称２０２、所在地２０３、電話番号２０４、Ｅメールアドレス２０５、ホームページアドレス２０６から構成される。
【００１２】
２１０は広告媒体業者に関する情報である広告媒体業者情報であり、広告媒体業者に一意に割り振られる広告媒体業者ＩＤ２１１、名称２１２、所在地２１３、電話番号２１４、Ｅメールアドレス２１５、ホームページアドレス２１６から構成される。
【００１３】
２２０は広告商品に関する情報である広告商品情報であり、広告商品に一意に割り振られる広告商品ＩＤ２２１、その広告商品の広告主ＩＤ２２２、名称２２３、価格２２４、この広告に基づく割引情報２２４、販売地域２２６、対象期間２２７、販売数量２２８、この広告の利用に基づく広告料情報２２９から構成される。
【００１４】
２３０は広告に利用されるバーコードに変換される情報であるバーコード広告情報であり、広告商品ＩＤ２３１、この広告の広告媒体業者ＩＤ２３２、この広告に基づく割引情報２３３から構成される。
【００１５】
２４０はある広告が利用された実績を示す利用実績情報であり、利用された広告商品の広告商品ＩＤ２４１、広告を行った広告媒体業者の広告媒体業者ＩＤ２４２、この広告の利用日時２４３、この広告に基づく利用金額２４４、この広告による割引情報２４５から構成される。
【００１６】
図３はバーコード広告の例であり、３００は、商品のバーコード広告３０１〜３０４かなる新聞の折込広告である。例えば、バーコード３０１の広告商品に対応する広告商品情報２２０の項目は、名称２２３が「乳製品全て」、対象期間が「１７日」、割引情報は「−１０％」となる。
【００１７】
図４は広告主情報２００を登録する動作を示したシーケンス図である。
【００１８】
尚、以後のシーケンス図において、特に説明の無い限り、予め図示しない操作により、小売店ＰＣ１３１が広告代理業者サーバ１１１に接続され、各種操作の選択入力を行う操作メニュー画面が小売店ＰＣ１３１に表示されているものとする。
【００１９】
小売店ＰＣ１３１において広告主情報２００を登録する旨の操作を行うと（Ｓ４１１）、広告代理業者サーバ１１１に対してインターネット１００を介して広告主情報登録要求が送信される（Ｓ４０１）。これにより、広告代理業者サーバ１１１は、広告主情報２００の各項目を入力するための広告主情報登録画面を作成し（Ｓ４２１）、小売店ＰＣ１３１に送信し（Ｓ４０２）、小売店ＰＣ１３１の画面に表示される（Ｓ４１２）。小売店ＰＣ１３１において各項目の入力が完了すると（Ｓ４１３）、広告主情報２００が広告代理業者サーバ１１１に送信され（Ｓ４０３）、広告代理業者サーバ１１１は、入力された広告主情報の内容確認画面を作成し（Ｓ４２２）、小売店ＰＣ１３１に送信し（Ｓ４０４）、小売店ＰＣ１３１の画面に表示される（Ｓ４１４）。小売店ＰＣ１３１で内容確認の操作入力が行われると（Ｓ４１５）、広告主情報確認のデータが送信され（Ｓ４０５）、広告代理業者サーバ１１１は、広告主情報ＤＢ１１２を更新し（Ｓ４２３）、広告主情報登録が完了した旨の画面を作成し（Ｓ４２４）、小売店ＰＣ１３１に送信され（Ｓ４０６）、小売店ＰＣ１３１の画面に表示される（Ｓ４１６）。
【００２０】
図５は広告商品情報２２０を登録する動作を示したシーケンス図である。
【００２１】
小売店ＰＣ１３１において広告商品情報２２０を登録する旨の操作を行うと（Ｓ５１１）、広告代理業者サーバ１１１に対してインターネット１００を介して広告商品情報登録要求が送信される（Ｓ５０１）。これにより、広告代理業者サーバ１１１は、登録された広告主であることを確認するために広告主情報２００のいくつかの項目からなる広告主確認情報を入力するための広告主確認画面を作成し（Ｓ５２１）、広告主ＰＣ１３１に送信し（Ｓ５０２）、広告主ＰＣ１３１の画面に表示される（Ｓ５１２）。広告主ＰＣ１３１において各項目の入力が完了すると（Ｓ５１３）、広告主確認情報が広告代理業者サーバ１１１に送信され（Ｓ５０３）、広告代理業者サーバ１１１は、入力された広告主確認情報と登録されている広告主情報ＤＢ１１２の内容を比較し（Ｓ５２２）、登録されている場合、広告商品情報２２０の各項目を入力するための広告商品情報登録画面を作成し（Ｓ５２３）、小売店ＰＣ１３１に送信し（Ｓ５０４）、小売店ＰＣ１３１の画面に表示される（Ｓ５１４）。小売店ＰＣ１３１において各項目の入力が完了すると（Ｓ５１５）、広告商品情報２２０が広告代理業者サーバ１１１に送信され（Ｓ５０５）、広告代理業者サーバ１１１は、入力された広告商品情報の内容確認画面を作成し（Ｓ５２４）、小売店ＰＣ１３１に送信し（Ｓ５０６）、小売店ＰＣ１３１の画面に表示される（Ｓ５１６）。小売店ＰＣ１３１で内容確認の操作入力が行われると（Ｓ５１７）、広告商品情報確認のデータが送信され（Ｓ５０７）、広告代理業者サーバ１１１は、広告商品情報ＤＢ１１４を更新し（Ｓ５２５）、広告商品情報登録が完了した旨の画面を作成し（Ｓ５２６）、小売店ＰＣ１３１に送信され（Ｓ５０８）、小売店ＰＣ１３１の画面に表示される（Ｓ５１８）。
【００２２】
図６は広告媒体業者情報２１０を登録する動作を示したシーケンス図である。
【００２３】
広告媒体業者ＰＣ１２１において広告媒体業者情報２１０を登録する旨の操作を行うと（Ｓ６１１）、広告代理業者サーバ１１１に対してインターネット１００を介して広告媒体業者情報登録要求が送信される（Ｓ６０１）。これにより、広告代理業者サーバ１１１は、広告媒体業者情報２１０の各項目を入力するための広告媒体業者情報登録画面を作成し（Ｓ６２１）、折込広告業者ＰＣ１２１に送信し（Ｓ６０２）、折込広告業者ＰＣ１２１の画面に表示される（Ｓ６１２）。折込広告業者ＰＣ１２１において各項目の入力が完了すると（Ｓ６１３）、広告媒体業者情報２１０が広告代理業者サーバ１１１に送信され（Ｓ６０３）、広告代理業者サーバ１１１は、入力された広告媒体業者情報の内容確認画面を作成し（Ｓ６２２）、折込広告業者ＰＣ１２１に送信し（Ｓ６０４）、折込広告業者ＰＣ１２１の画面に表示される（Ｓ６１４）。折込広告業者ＰＣ１２１で内容確認の操作入力が行われると（Ｓ６１５）、広告媒体業者情報確認のデータが送信され（Ｓ６０５）、広告代理業者サーバ１１１は、広告媒体業者情報ＤＢ１１３を更新し（Ｓ６２３）、広告媒体業者情報登録が完了した旨の画面を作成し（Ｓ６２４）、折込広告業者ＰＣ１２１に送信され（Ｓ６０６）、折込広告業者ＰＣ１２１の画面に表示される（Ｓ６１６）。
【００２４】
図７は広告商品情報２００を検索する動作を示したシーケンス図である。
【００２５】
折込広告業者ＰＣ１２１において広告商品情報ＤＢ１１４を検索する旨の操作を行うと（Ｓ７１１）、広告代理業者サーバ１１１に対してインターネット１００を介して広告商品検索要求が送信される（Ｓ７０１）。これにより、広告代理業者サーバ１１１は、登録された広告媒体業者であることを確認するために広告媒体業者情報２１０のいくつかの項目からなる広告媒体業者確認情報を入力するための広告媒体業者確認画面を作成し（Ｓ７２１）、折込広告業者ＰＣ１２１に送信し（Ｓ７０２）、折込広告業者ＰＣ１２１の画面に表示される（Ｓ７１２）。折込広告業者ＰＣ１２１において各項目の入力が完了すると（Ｓ７１３）、広告媒体業者確認情報が広告代理業者サーバ１１１に送信され（Ｓ７０３）、広告代理業者サーバ１１１は、入力された広告媒体業者確認情報と登録されている広告媒体業者情報ＤＢ１１３の内容を比較し（Ｓ７２２）、登録されている場合、登録されている広告商品情報ＤＢ１１４を広告商品情報２００の各項目によって検索するための広告商品検索画面を作成し（Ｓ７２３）、折込広告業者ＰＣ１２１に送信し（Ｓ７０４）、折込広告業者ＰＣ１２１の画面に表示される（Ｓ７１４）。折込広告業者ＰＣ１２１で検索項目の入力が行われると（Ｓ７１５）、広告商品検索項目が送信され（Ｓ７０５）、広告代理業者サーバ１１１は、広告商品情報ＤＢ１１４をその項目で検索し（Ｓ７２４）、検索結果の画面を作成し（Ｓ７２５）、折込広告業者ＰＣ１２１に送信され（Ｓ７０６）、折込広告業者ＰＣ１２１の画面に表示される（Ｓ７１６）。
【００２６】
図８はバーコードを発行する動作を示したシーケンス図である。
【００２７】
折込広告業者ＰＣ１２１において広告商品を選択してバーコードを発行する旨の操作を行うと（Ｓ８２１）、広告代理業者サーバ１１１に対してインターネット１００を介してバーコード発行要求が送信される（Ｓ８０１）。これにより、広告代理業者サーバ１１１は、登録された広告媒体業者であることを確認するために広告媒体業者情報２１０のいくつかの項目からなる広告媒体業者確認情報を入力するための広告媒体業者確認画面を作成し（Ｓ８４１）、折込広告業者ＰＣ１２１に送信し（Ｓ８０２）、折込広告業者ＰＣ１２１の画面に表示される（Ｓ８２２）。折込広告業者ＰＣ１２１において各項目の入力が完了すると（Ｓ８２３）、広告媒体業者確認情報が広告代理業者サーバ１１１に送信され（Ｓ８０３）、広告代理業者サーバ１１１は、入力された広告媒体業者確認情報と登録されている広告媒体業者情報ＤＢ１１３の内容を比較し（Ｓ８４２）、登録されている場合、登録されている広告商品情報ＤＢ１１４からバーコードを発行したい広告商品情報２００を選択するための広告商品選択画面を作成し（Ｓ８４３）、折込広告業者ＰＣ１２１に送信し（Ｓ８０４）、折込広告業者ＰＣ１２１の画面に表示される（Ｓ８２４）。折込広告業者ＰＣ１２１で広告を希望する広告商品の選択入力が行われると（Ｓ８２５）、選択された広告商品情報２２０の項目の一部を含んだ広告商品選択データが送信され（Ｓ８０５）、広告代理業者サーバ１１１は、広告商品情報ＤＢ１１４から広告商品情報２２０、広告媒体業者情報ＤＢ１１３から希望を行った広告媒体業者情報２１０を読出し（Ｓ８４４）、それら広告希望内容の確認画面を作成し（Ｓ８４５）、折込広告業者ＰＣ１２１に送信され（Ｓ８０６）、折込広告業者ＰＣ１２１の画面に表示される（Ｓ８２６）。折込広告業者ＰＣ１２１で内容確認の操作入力が行われると（Ｓ８２７）、広告希望確認のデータが送信され（Ｓ８０７）、広告代理業者サーバ１１１は、確認内容に基づくバーコード広告情報２３０よりバーコードを作成し（Ｓ８４６）、バーコードが折込広告業者ＰＣ１２１に送信され（Ｓ８０８）、折込広告業者ＰＣ１２１で保存される（Ｓ８２９）。このバーコードは商品広告情報２２０の適切な項目を伴う広告、例えば図３に示すようなバーコード広告３００として印刷機１２２で印刷される。
【００２８】
図９はバーコード広告が小売店１３０で使用された場合の動作を示すシーケンス図である。
【００２９】
小売店１３０においてバーコード広告、例えば図３に示すバーコード広告３００が使用されると、小売店１３０ではバーコードリーダ１３３によりバーコード広告３００のバーコード、例えば３０１からバーコード広告情報２３０の読み取りを行う（Ｓ９１１−ｉ，ｉ＝１，．．．，Ｎ）。それに引き続き、バーコード広告情報２３０の割引項目２３３に基づく割引をレジ１３２に対して指示し（Ｓ９１２−ｉ）、図２に示す利用実績情報２４０を作成し（Ｓ９１３−ｉ）、広告代理業者サーバ１１１に利用実績情報２４０を通知し（Ｓ９０１−ｉ）、広告代理業者サーバ１１１はそれらを利用実績情報ＤＢ１１５に保存する（Ｓ９２１−ｉ）。ここで、バーコード広告情報２３０の読み取りステップ（Ｓ９１１−ｉ）毎に利用実績情報２４０の通知ステップ（Ｓ９０１−ｉ）を実行しているが、定期的に利用実績情報２４０を複数まとめて通知しても良い。広告代理業者サーバ１１１において、定期処理或いは手動により広告料を算出する旨の操作入力が行われると（Ｓ９２２）、広告利用実績情報ＤＢ１１５、広告商品情報ＤＢ１１４、広告主情報ＤＢ１１２、広告媒体業者情報ＤＢ１１３を読出し（Ｓ９２３）、利用実績情報２４０の広告商品ＩＤ２４１、広告媒体業者ＩＤ２４２を基に利用金額２４４を積算し、広告商品ＩＤ２４１に対応する広告商品情報２２０の広告料２２９と利用金額２４４の積算結果に基づき広告料を算出する（Ｓ９２５）。算出された広告料に基づき、広告主ＩＤ２２２に対応する広告主に対する支払請求情報ＤＢ１１６が更新され（Ｓ９２５）、小売店ＰＣ１３１に対して広告料支払請求が送信され（Ｓ９０２）、小売店ＰＣ１３１から広告料支払請求受領が返送される（Ｓ９０３）。また、算出された広告料に基づき、広告媒体業者ＩＤ２４２に対応する広告媒体業者に対する支払情報ＤＢ１１７が更新され（Ｓ９２６）、折込広告業者ＰＣ１２１へ広告料支払通知が送信され（Ｓ９０４）、折込広告業者ＰＣ１２１より、広告料支払受領が返送される（Ｓ９０５）。
【００３０】
本実施例では折込広告業者と小売店を例にあげたが、他の広告媒体業者、他の広告主であっても構わない。また、本実施例では広告料の支払請求と支払通知までのみを記載しているが、公知の決済システムと連携させ自動決済を行っても良い。更に、広告代理業者のサービス料、手数料等に関しては特に記載していないが、バーコード発行時、請求時、検索時、広告商品登録時等様々な状況で徴収することが考えられる。
【００３１】
（実施例２）
以下、本発明第２の実施例である広告業システムについて、図１０〜図１３を用いて説明を行う。
【００３２】
図１０は本実施例におけるバーコード広告システムの構成図である。
【００３３】
図１０において、１０２０は広告媒体業者である出版業者であり、ＰＣ１０２１と雑誌を印刷する印刷機１０２２を備える。１０３０は広告主であるインターネット販売業者であり、インターネット販売を行うサーバ１０３１を備える。１０４０はインターネット販売業者を利用する顧客であり、ＰＣ１０４１、バーコードリーダ１０４２を備える。広告代理業者サーバ１１１、出版業者ＰＣ１０２１、インターネット販売業者サーバ１０３１、顧客ＰＣ１０４１はそれぞれ、常時接続回線、ダイヤルアップ回線等でインターネット１００に接続され、相互通信が可能である。尚、本発明第１の実施例と同様のものは同じ番号を付加し説明は省略する。
【００３４】
図１１はバーコードに関する各種情報項目の構成図である。
【００３５】
１１２０は、広告商品に関する情報である広告商品情報であり、本発明第１の実施例における広告商品情報２２０に、インターネット販売業者サーバ１０３１における広告商品の購入ページアドレス（以後、ＵＲＬ）１１２１が付加される。１１３０は、バーコードに変換される情報であるバーコード広告情報であり、同様に、ＵＲＬ１１３１が付加される。その他の情報は本発明第１の実施例と同様である。
【００３６】
図１２は、バーコード広告の例であり、１２００は、商品のバーコード広告１２０１〜１２０４かなる雑誌内の広告ページである。例えば、バーコード１２０１のＵＲＬ１１３１が広告商品である「ダイニング５点セット」のインターネット販売ページのアドレスに対応する。
【００３７】
広告主情報の登録、広告商品情報の登録、広告媒体業者情報の登録、広告商品情報の検索、バーコード発行の各ステップは本発明第１の実施例の小売店をインターネット販売業者、折込広告業者を出版業者に置き換えることにより同様となる。但し、広告商品情報の登録においてはＵＲＬ１１２１を登録する項目が追加され、バーコード広告情報１１３０のＵＲＬ１１３１は、広告商品情報１１２０のＵＲＬ１１２１に基づき作成される。
【００３８】
図１３はバーコード広告によりインターネット販売を利用した場合のシーケンス図である。
【００３９】
顧客ＰＣ１０４１はバーコード広告、例えば図１２に示す雑誌のバーコード１２０１の広告を利用する場合、バーコードリーダ１０４２を介してバーコード１２０１のバーコード広告情報１１３０を読み込む（Ｓ１３１１）。バーコード広告情報１１３０からＵＲＬ１１３１を読み出し（Ｓ１３１２）、それに基づき、そのＵＲＬ１１３１にアクセスを行い（Ｓ１３０１）、アクセスと同時又はそれに引き続き、広告媒体業者ＩＤ２３２と割引２３３を読出し（Ｓ１３１３）、それらの情報を通知する（Ｓ１３０２）。インターネット販売業者サーバ１０３１では、それら情報に基づき販売商品の構成や価格を説明する販売画面を作成し（Ｓ１３２１）、顧客ＰＣ１０４１に送信し（Ｓ１３０３）、顧客ＰＣ１０４１の画面に表示される（Ｓ１３１４）。顧客がその商品購入のための操作を行うと（Ｓ１３１５）、インターネット販売業者サーバ１０３１に購入が通知さる（Ｓ１３０４）。その内容に基づき、インターネット販売業者サーバ１０３１は購入確認画面を作成し（Ｓ１３２２）、顧客ＰＣ１０４１に送信され（Ｓ１３０５）、画面表示される（Ｓ１３１６）。顧客の確認入力により（Ｓ１３１７）、購入確認が通知され（Ｓ１３０６）、購入処理が行われる（Ｓ１３２３）。購入処理に基づき、利用実績情報２４０が作成され（Ｓ１３２４）、広告代理業者サーバ１１１に通知される（Ｓ１３０７）。広告業者代理サーバ１１１は、利用実績情報２４０を利用実績情報ＤＢ１１５に保存し（Ｓ１３２５）、以後、本発明第１の実施例と同様に処理される。ここで、利用実績情報２４０の作成ステップ（Ｓ１３２４）毎に利用実績情報２４０の通知ステップ（Ｓ１２０７）を実行しているが、定期的に利用実績情報２４０を複数まとめて通知しても良い。
【００４０】
本実施例では出版業者とインターネット販売業者を例にあげたが、他の広告媒体業者、他のインターネットを介したサービスを提供するような広告主であっても構わない。また、本実施例に、公知の決済システムと連携させ自動決済を行っても良い。更に、広告代理業者のサービス料、手数料等に関しては特に記載していないが、バーコード発行時、請求時、検索時、広告商品登録時等様々な状況で徴収することが考えられる。
【００４１】
（実施例３）
以下、本発明第３の実施例である広告業システムについて、図１４〜図１７を用いて説明を行う。
【００４２】
図１４は本実施例におけるバーコード広告システムの構成図である。
【００４３】
図１４において、１４２０は広告媒体業者であるダイレクトメール（以下、ＤＭ）業者であり、ＰＣ１４２１とＤＭを印刷する印刷機１４２２を備える。１４３０は広告主であるクリーニング店であり、ＰＣ１４３１、レジ１４３２、バーコードリーダ１４３３を備える。
【００４４】
広告代理業者サーバ１１１、ＤＭ業者ＰＣ１４２１、クリーニング店ＰＣ１４３１はそれぞれ、常時接続回線、ダイヤルアップ回線等でインターネット１００に接続され、相互通信が可能である。尚、本発明第１の実施例と同様のものは同じ番号を付加し説明は省略する。
【００４５】
図１５はバーコードに関する各種情報項目の構成図である。
【００４６】
１５３０はバーコード広告情報であり、図２のバーコード広告情報２３０にこの広告媒体業者をしたことによる特典である広告媒体業者割引１５３１が付加される。１５４０は利用実績情報であり、同様に、広告媒体業者割引１５４１が付加される。その他の情報は本発明第１の実施例と同様である。
【００４７】
広告主情報の登録、広告商品情報の登録、広告媒体業者情報の登録、広告商品情報の検索の各ステップは本発明第１の実施例の小売店をクリーニング店、折込広告業者をＤＭ業者に置き換えることにより同様となる。
【００４８】
図１７はバーコードを発行する動作を示したシーケンス図である。
【００４９】
ＤＭ業者１４２１において広告商品を選択してバーコードを発行する旨の操作を行うと（Ｓ１７２１）、広告代理業者サーバ１１１に対してインターネット１００を介してバーコード発行要求が送信される（Ｓ１７０１）。これにより、広告代理業者サーバ１１１は、登録された広告媒体業者であることを確認するために広告媒体業者情報２１０のいくつかの項目からなる広告媒体業者確認情報を入力するための広告媒体業者確認画面を作成し（Ｓ１７４１）、ＤＭ業者ＰＣ１４２１に送信し（Ｓ１７０２）、ＤＭ業者ＰＣ１４２１の画面に表示される（Ｓ１７２２）。ＤＭ業者ＰＣ１４２１において各項目の入力が完了すると（Ｓ１７２３）、広告媒体業者確認情報が広告代理業者サーバ１１１に送信され（Ｓ１７０３）、広告代理業者サーバ１１１は、入力された広告媒体業者確認情報と登録されている広告媒体業者情報ＤＢ１１３の内容を比較し（Ｓ１７４２）、登録されている場合、登録されている広告商品情報ＤＢ１１４からバーコードを発行したい広告商品情報２００を選択するための広告商品選択画面を作成し（Ｓ１７４３）、ＤＭ業者ＰＣ１４２１に送信し（Ｓ１７０４）、ＤＭ業者ＰＣ１４２１の画面に表示される（Ｓ１７２４）。ＤＭ業者ＰＣ１４２１で広告を希望する広告商品の選択入力が行われると（Ｓ１７２５）、選択された広告商品情報２２０の項目の一部を含んだ広告商品選択データが送信され（Ｓ１７０５）、広告代理業者サーバ１１１は、広告商品情報ＤＢ１１４から広告商品情報２２０、広告媒体業者情報ＤＢ１１３から希望を行った広告媒体業者情報２１０を読出し（Ｓ１７４４）、それら広告希望商品に対する広告媒体業者割引を設定する画面を作成し（Ｓ１７４５）、ＤＭ業者ＰＣ１４２１へ送信される（Ｓ１７０６）。ＤＭ業者ＰＣ１４２１において、広告媒体業者割引設定画面が表示され（Ｓ１７２６）、それらが入力されると（Ｓ１７２７）、広告代理業者サーバ１１１に対して広告媒体業者割引情報が通知され（Ｓ１７０７）、それら広告希望内容の確認画面を作成し（Ｓ１７４６）、ＤＭ業者ＰＣ１４２１に送信され（Ｓ１７０８）、ＤＭ業者ＰＣ１４２１の画面に表示される（Ｓ１７２８）。ＤＭ業者ＰＣ１４２１で内容確認の操作入力が行われると（Ｓ１７２９）、広告希望確認のデータが送信され（Ｓ１７０９）、広告代理業者サーバ１１１は、確認内容に基づくバーコード広告情報２３０よりバーコードを作成し（Ｓ１７４７）、バーコードがＤＭ業者ＰＣ１４２１に送信され（Ｓ１７１０）、ＤＭ業者ＰＣ１４２１で保存される（Ｓ１７３０）。このバーコードは商品広告情報２２０の適切な項目内容を伴うＤＭとして印刷機１４２２で印刷される。
【００５０】
図１６にバーコード広告により広告媒体業者割引を利用した場合のシーケンス図である。
【００５１】
クリーニング店１４３０においてバーコード広告が使用されると、クリーニング店ＰＣ１４３１はバーコードリーダ１４３３を介してバーコード広告情報１５３０の読み取りを行う（Ｓ１６１１−ｉ）。それに引き続き、バーコード広告情報１５３０の割引項目２３３に基づく割引をレジ１４３２に対して指示し（Ｓ１６１２−ｉ）、更に広告媒体業者割引に基づく割引をレジ１４３２に指示し（Ｓ１６１３−ｉ）、利用実績情報１５４０を作成し（Ｓ１６１４−ｉ）、広告代理業者サーバ１１１に利用実績情報１５４０を通知し（Ｓ１６０１−ｉ）、広告代理業者サーバ１１１で利用実績情報ＤＢ１１５に保存される（Ｓ１６２１−ｉ）。広告代理業者サーバ１１１において、定期処理或いは手動により広告料を算出する旨の操作入力が行われた（Ｓ１６２２）以下の手順は本発明第１の実施例の図９に対する説明と同様である。但し、広告料の算出手順（Ｓ１６２４）では、利用実績情報１５４０の広告媒体業者割引１５４１に相当する料金が広告料より減算される。ここで、バーコード広告情報１５３０の読み取りステップ（Ｓ１６１１−ｉ）毎に利用実績情報１５４０の通知ステップ（Ｓ１６０１−ｉ）を実行しているが、定期的に利用実績情報１５４０を複数まとめて通知しても良い。
【００５２】
本実施例ではＤＭ業者とクリーニング店を例にあげたが、他の広告媒体業者、他の広告主であっても構わない。また、本実施例に、公知の決済システムと連携させ自動決済を行っても良い。更に、広告代理業者のサービス料、手数料等に関しては特に記載していないが、バーコード発行時、請求時、検索時、広告商品登録時等様々な状況で徴収することが考えられる。
【００５３】
【発明の効果】
以上説明したように、本発明によれば、広告を依頼する広告主の端末である広告主端末と、広告代理業務を行う業者の端末である広告代理業者サーバと、広告媒体業務を行う業者の端末である広告媒体業者端末とがコンピュータネットワークで接続された広告業システムを、前記広告代理業者サーバにおいて、前記広告主端末から広告主に関する所定の項目から成る情報である広告主情報の入力を受け、広告主情報記憶手段に記憶する広告主情報登録ステップと、前記広告主端末から広告商品に関する所定の項目から成る情報である広告商品情報の入力を受け、広告商品情報記憶手段に記憶する広告商品情報登録ステップと、前記広告媒体業者端末から広告媒体業者に関する所定の項目から成る情報である広告媒体業者情報の入力を受け、広告媒体業者情報記憶手段に記憶する広告媒体業者情報登録ステップと、前記広告媒体業者端末から広告商品情報の一つ或いは複数の項目の入力を受け、それに基づき前記広告商品情報記憶手段を検索する広告商品情報検索ステップと、前記広告媒体業者端末から広告を希望する前記広告商品情報の一つ或いは複数を選択する入力を受け、少なくとも広告を希望した前記広告媒体業者情報の一つ或いは複数の項目情報を含むバーコード広告情報に基づくバーコードを作成し、広告を希望した前記広告媒体業者端末に配布するバーコード発行ステップと、前記広告媒体業者端末において、前記バーコード発行ステップによるバーコードの発行を受けて、発行されたバーコードを広告媒体に複製するバーコード広告作成ステップと、前記広告主端末において、前記バーコード広告作成ステップにより広告媒体に複製されたバーコードから前記バーコード広告情報を読み取るバーコード広告情報読取ステップと、前記バーコード広告読取ステップにより読み取られた前記バーコード広告情報に基づく広告利用実績情報を前記広告代理業者サーバへ通知する広告利用実績情報通知ステップと、前記広告代理業者サーバにおいて、前記広告利用実績情報通知ステップによる広告利用実績情報の通知を受けて、広告利用実績記憶手段に記憶する利用実績記憶ステップと、前記広告利用実績記憶手段からの前記広告利用実績情報と、前記広告商品情報記憶手段からの前記広告商品情報と、前記広告主情報記憶手段からの前記広告主情報と、前記広告媒体業者記憶手段からの前記広告媒体業者情報とに基づき広告の利用実績に応じた広告料の算出を行う広告料算出ステップから構成することにより、広告媒体業者はその業者に対応したバーコードの発行を受け、そのバーコード情報に基づいて広告料金を算出するよう動作するため、広告の成果を反映した広告料金の算出を効率的に行うことが出来る効果がある。
【図面の簡単な説明】
【図１】実施例１におけるバーコード広告システムの構成図。
【図２】実施例１におけるバーコードに関する各種情報項目の構成図。
【図３】実施例１におけるバーコード広告の例。
【図４】実施例１において広告主情報を登録する動作を示したシーケンス図。
【図５】実施例１において広告商品情報を登録する動作を示したシーケンス図。
【図６】実施例１において広告媒体業者情報を登録する動作を示したシーケンス図。
【図７】実施例１において広告商品情報を検索する動作を示したシーケンス図。
【図８】実施例１においてバーコードを発行する動作を示したシーケンス図。
【図９】実施例１におけるバーコード広告が使用された場合の動作を示すシーケンス図。
【図１０】実施例２におけるバーコード広告システムの構成図。
【図１１】実施例２におけるバーコードに関する各種情報項目の構成図。
【図１２】実施例２におけるバーコード広告の例。
【図１３】実施例２においてバーコード広告を利用した場合のシーケンス図。
【図１４】実施例３におけるバーコード広告システムの構成図。
【図１５】実施例３におけるバーコードに関する各種情報項目の構成図。
【図１６】実施例３においてバーコード広告を利用した場合のシーケンス図。
【図１７】実施例３においてバーコードを発行する動作を示したシーケンス図。
【符号の説明】
１００  インターネット
１１０  広告代理業者
１１１  広告代理業者サーバ
１２０  折込広告業者
１２１  折込広告業者ＰＣ
１２２  折込広告業者印刷機
１３０  小売店
１３１  小売店ＰＣ
１３３  小売店バーコードリーダ
２００  広告主情報
２１０  広告媒体業者情報
２２０  広告商品情報
２３０  バーコード広告情報
２４０  利用実績情報
３００  バーコード広告例
３０１〜３０４  バーコード
１０３０  インターネット販売業者
１０４０  顧客
１１２１、１１３１  ＵＲＬ
１５３１、１５４１  広告媒体業者割引
【図１】
2004334469.tif 000003
【図２】
2004334469.tif 000004
【図３】
2004334469.tif 000005
【図４】
2004334469.tif 000006
【図５】
2004334469.tif 000007
【図６】
2004334469.tif 000008
【図７】
2004334469.tif 000009
【図８】
2004334469.tif 000010
【図９】
2004334469.tif 000011
【図１０】
2004334469.tif 000012
【図１１】
2004334469.tif 000013
【図１２】
2004334469.tif 000014
【図１３】
2004334469.tif 000015
【図１４】
2004334469.tif 000016
【図１５】
2004334469.tif 000017
【図１６】
2004334469.tif 000018
【図１７】
2004334469.tif 000019